(57)【要約】【課題】導通部品ホルダの接続位置と切断位置の切り替え作業を容易にしつつ、ケースからの導通部品ホルダ全体の突出高さを抑えることができる、新規な構造の暗電流回路の断続構造およびそれを備えた電気接続箱を提供すること。【解決手段】暗電流回路１２を収容するケース１８に対して、暗電流回路１２を導通接続する導通部品１４を保持する導通部品ホルダ４６を、暗電流回路１２の接続端子８６に対する導通部品１４の挿抜方向に対して変位自在に組み付けて、導通部品１４が暗電流回路１２に接続される接続位置と、導通部品１４が暗電流回路１２から切断される切断位置に切り替え可能に保持できるようにした、暗電流回路１２の断続構造において、導通部品ホルダ４６が、導通部品ホルダ４６に対して相対変位可能な把持部７４を備えており、把持部７４が、収容状態と、収容状態よりも導通部品ホルダ４６からの突出高さが大きい使用状態とに変位自在にした。【選択図】図３
2016073160.tif 000002
【特許請求の範囲】
【請求項１】
暗電流回路を収容するケースに対して、前記暗電流回路を導通接続する導通部品を保持する導通部品ホルダを、前記暗電流回路の接続端子に対する前記導通部品の挿抜方向に対して変位自在に組み付けて、前記導通部品が前記暗電流回路に接続される接続位置と、前記導通部品が前記暗電流回路から切断される切断位置に切り替え可能に保持できるようにした、暗電流回路の断続構造において、
前記導通部品ホルダが、前記導通部品ホルダに対して相対変位可能な把持部を備えており、該把持部が、収容状態と、該収容状態よりも前記導通部品ホルダからの突出高さが大きい使用状態とに変位自在であることを特徴とする暗電流回路の断続構造。
【請求項２】
前記導通部品ホルダに対して、前記把持部が前記挿抜方向でスライド変位可能に組み付けられている請求項１に記載の暗電流回路の断続構造。
【請求項３】
前記把持部が、前記導通部品ホルダの上面に載置される取っ手部と、該取っ手部の両端部から前記導通部品ホルダの一対の側面の外面に沿って延出する一対の軸部を含んで構成されている一方、
前記導通部品ホルダの一対の前記側面の外面に、前記把持部の一対の軸部がスライド係合されるスライドレール部が突設されており、
前記収容状態では、前記把持部の一対の軸部が前記スライドレール部に収容されて前記取っ手部が前記導通部品ホルダの上面に載置される一方、
前記使用状態では、前記把持部の一対の軸部が前記スライドレール部から引き出されて前記軸部の端部が前記スライドレール部の端部に係合されるようになっている請求項２に記載の暗電流回路の断続構造。
【請求項４】
前記取っ手部が、前記把持部の長さ方向の全長に亘って設けられている請求項３に記載の暗電流回路の断続構造。
【請求項５】
暗電流回路がケースに収容されてなる電気接続箱であって、
請求項１〜４の何れか一項に記載の暗電流回路の断続構造が前記ケースに組み付けられていることを特徴とする電気接続箱。
【発明の詳細な説明】
【技術分野】
【０００１】
本発明は、自動車の電気接続箱等に設けられた暗電流回路に対して、導通部品を断続させる暗電流回路の断続構造およびそれを備えた電気接続箱に関する。
【背景技術】
【０００２】
従来から、自動車に搭載されるジャンクションボックスやヒューズボックス等の電気接続箱等に対して、例えば特許第２８７９８１１号公報（特許文献１）に記載の如き暗電流回路の断続構造が設けられることがある。すなわち、自動車の電装系には、時計等の常時電力を消費する回路（以下、暗電流回路）が設けられており、車両輸出時等、長期に亘って運転を休止する際に、バッテリーの消耗を防止する目的から、かかる回路を導通接続する導通部品である暗電流ヒューズを、暗電流回路から取り外す必要が生じる。
【０００３】
そこで、特許文献１に記載の如き暗電流回路の断続構造を用いれば、暗電流ヒューズを保持する導通部品ホルダとしてのヒューズホルダを、暗電流回路の接続端子に対して挿抜方向にスライド自在に変位させることができ、暗電流ヒューズが暗電流回路に接続される接続位置と、暗電流ヒューズが暗電流回路から切断される切断位置に切り替え可能に保持できるようになっている。
【０００４】
ところが、このような従来構造の暗電流回路の断続構造では、ヒューズホルダを接続位置と切断位置に切り替える際に、ヒューズホルダの側面に設けられた把持面に手指を押し当てて挿抜方向に変位させる必要がある。それ故、ヒューズホルダの把持面と手指の接触面積を確保するために、暗電流回路が収容されたケースの表面から、予めヒューズホルダを大きく突出させておく必要があった。特に、暗電流ヒューズが暗電流回路から切断される切断位置にヒューズホルダが保持される場合には、さらにケースからのヒューズホルダの突出高さが大きくなる。その結果、電気接続箱の大型化が避けられず、低背化が求められる配設条件等によっては、採用が困難になるおそれもあった。
【先行技術文献】
【特許文献】
【０００５】
【特許文献１】特許第２８７９８１１号公報
【発明の概要】
【発明が解決しようとする課題】
【０００６】
本発明は、上述の事情を背景に為されたものであって、その解決課題は、導通部品ホルダの接続位置と切断位置の切り替え作業を容易にしつつ、ケースからの導通部品ホルダ全体の突出高さを抑えることができる、新規な構造の暗電流回路の断続構造およびそれを備えた電気接続箱を提供することにある。
【課題を解決するための手段】
【０００７】
以下、前述の如き課題を解決するために為された本発明の態様を記載する。なお、以下に記載の各態様において採用される構成要素は、可能な限り任意の組み合わせで採用可能である。
【０００８】
暗電流回路の断続構造に関する本発明の第一の態様は、暗電流回路を収容するケースに対して、前記暗電流回路を導通接続する導通部品を保持する導通部品ホルダを、前記暗電流回路の接続端子に対する前記導通部品の挿抜方向に対して変位自在に組み付けて、前記導通部品が前記暗電流回路に接続される接続位置と、前記導通部品が前記暗電流回路から切断される切断位置に切り替え可能に保持できるようにした、暗電流回路の断続構造において、前記導通部品ホルダが、前記導通部品ホルダに対して相対変位可能な把持部を備えており、該把持部が、収容状態と、該収容状態よりも前記導通部品ホルダからの突出高さが大きい使用状態とに変位自在であることを特徴とする。
【０００９】
本態様によれば、導通部品ホルダが導通部品ホルダに対して相対変位可能な把持部を備えており、かかる把持部が、収容状態と、それよりも導通部品ホルダからの突出高さが大きくなる使用状態とに変位自在である。それ故、暗電流回路を遮断するために導通部品を切断位置に保持したい場合には、把持部を突出高さが大きい使用状態に変位させ、かかる突出高さを利用して把持部を手指で把持する把持領域を十分に確保することができる。その結果、導通部品ホルダの接続位置と切断位置の切り替え作業を容易に行うことができる。
【００１０】
しかも、切り替え作業が終了して把持部を使用しない場合には、把持部を使用状態に比して突出高さが小さい収容状態にその高さ位置を変位させることができる。それ故、仮に、導通部品ホルダが切断位置に保持された場合であっても、収容状態に変位された把持部の突出高さは抑えられており、従来構造の如きケース表面からの突出高さが把持領域確保のためにさらに大きくなることが回避されている。従って、導通部品ホルダ全体のケースからの突出高さが抑えられた低背化された暗電流回路の断続構造を提供することが可能となり、配設スペースが限られている場合であっても、暗電流回路の断続構造を採用することが可能となる。
【００１１】
なお、把持部の高さ位置を収容状態と使用状態で変位自在にする機構としては、スライド構造や蛇腹構造、テレスコ構造や中心軸回りの回転構造等任意の構造が採用可能である。
【００１２】
また、暗電流回路を導通接続する導通部品は、溶断部を有するヒューズや溶断部を有しないショートピン等によって有利に構成され得る。
【００１３】
暗電流回路の断続構造に関する本発明の第二の態様は、前記第一の態様に記載のものにおいて、前記導通部品ホルダに対して、前記把持部が前記挿抜方向でスライド変位可能に組み付けられているものである。
【００１４】
本態様によれば、導通部品ホルダに対して、把持部が挿抜方向でスライド変位可能に組み付けられていることから、把持部の変位方向と、導通部品ホルダの変位方向が同じにされており、把持部の変位から導通部品ホルダの変位に至る一連の作業を一層スムーズに行うことができる。また、把持部の変位に際して、暗電流回路の接続端子と導通部品の間にねじり方向の力が加えられることが回避され、導通安定性も有利に確保できる。
【００１５】
暗電流回路の断続構造に関する本発明の第三の態様は、前記第二の態様に記載のものにおいて、前記把持部が、前記導通部品ホルダの上面に載置される取っ手部と、該取っ手部の両端部から前記導通部品ホルダの一対の側面の外面に沿って延出する一対の軸部を含んで構成されている一方、前記導通部品ホルダの一対の前記側面の外面に、前記把持部の一対の軸部がスライド係合されるスライドレール部が突設されており、前記収容状態では、前記把持部の一対の軸部が前記スライドレール部に収容されて前記取っ手部が前記導通部品ホルダの上面に載置される一方、前記使用状態では、前記把持部の一対の軸部が前記スライドレール部から引き出されて前記軸部の端部が前記スライドレール部の端部に係合されるようになっているものである。
【００１６】
本態様によれば、導通部品ホルダの側面の外面を利用して、把持部の高さ位置を挿抜方向で変位自在にするスライド機構を有利に設けることができる。特に、導通部品ホルダの側面の外面にスライドレール部を設けていることから、導通部品の形状等により設計自由度が制限される導通部品ホルダの内部側に影響を与えることなくスライド機構を効率よく設けることができる。
【００１７】
暗電流回路の断続構造に関する本発明の第四の態様は、前記第三の態様に記載のものにおいて、前記取っ手部が、前記把持部の長さ方向の全長に亘って設けられているものである。
【００１８】
本態様によれば、取っ手部が把持部の長さ方向の全長に亘って設けられていることから、取っ手部を手指で確実に把持することができる。それ故、把持部の収容状態と使用状態の切り替えを容易に行うことができる。
【００１９】
電気接続箱に関する本発明の第一の態様は、暗電流回路がケースに収容されてなる電気接続箱であって、前記第一乃至第四の何れか一つの態様に記載の暗電流回路の断続構造が前記ケースに組み付けられていることを特徴とする。
【００２０】
本態様によれば、上記本発明の暗電流回路の断続構造にかかる第１〜第４のいずれか１つの態様に記載の暗電流回路の断続構造が、ケースに組み付けられていることから、暗電流回路の断続構造により上述の効果と同一の効果を発揮する電気接続箱を提供することができる。
【発明の効果】
【００２１】
本発明によれば、導通部品ホルダが導通部品ホルダに対して相対変位可能な把持部を備えており、かかる把持部が、収容状態と、それよりも導通部品ホルダからの突出高さが大きくなる使用状態とに変位自在である。それ故、暗電流回路を遮断したい場合には、把持部を突出高さが大きい使用状態に変位させ、かかる突出高さを利用して把持領域を十分に確保できるので、導通部品ホルダの接続位置と切断位置の切り替え作業を容易に行うことができる。しかも、切り替え作業終了後には、把持部を突出高さが小さい収容状態に変位させることができる。それ故、仮に導通部品ホルダが切断位置に保持された場合でも、把持部の突出高さは抑えられており、従来構造の如き突出高さが把持領域確保のためにさらに大きくなることが回避されている。従って、突出高さが抑えられた低背化された暗電流回路の断続構造が提供可能となることから、配設スペースが限られている場合でも、暗電流回路の断続構造が採用可能となる。
【図面の簡単な説明】
【００２２】
【図１】本発明の一実施形態としての電気接続箱を示す斜視図。
【図２】図１に示す電気接続箱の平面図。
【図３】図１に示す暗電流回路の拡大図（（ａ）接続位置で把持部収容状態、（ｂ）接続位置で把持部使用状態、（ｃ）切断位置で把持部使用状態、（ｄ）切断位置で把持部収容状態）。
【図４】図２のＶＩ−ＶＩ断面拡大図。
【図５】図２のＶ−Ｖ断面拡大図。
【図６】図４に示す把持部の高さ位置を収容状態と使用状態で変位自在とする機構の他の態様を示す断面図。
【図７】図４に示す把持部の高さ位置を収容状態と使用状態で変位自在とする機構の別の態様を示す断面図。
【図８】図４に示す把持部の高さ位置を収容状態と使用状態で変位自在とする機構のもう１つの別の態様を示す断面図。
【発明を実施するための形態】
【００２３】
以下、本発明の実施形態について、図面を参照しつつ説明する。
【００２４】
先ず、図１〜５には、本発明の一実施形態に従う暗電流回路の断続構造を用いて、電気接続箱１０の暗電流回路１２を導通接続する導通部品たるショートピン１４を断続させる構造が示されている。電気接続箱１０は、内部回路を構成するバスバー１６と、ケース１８を構成するアッパケース２０とロアケース２２を含んで構成されている。アッパケース２０とロアケース２２は、合成樹脂から形成されており、互いに相手側に向けて開口する略矩形の箱体形状を有している。そして、バスバー１６の両側からアッパケース２０とロアケース２２が重ね合わされて組み付けられることにより、ケース１８の内部にバスバー１６が収容された電気接続箱１０が提供されるようになっている。また、暗電流回路１２は、内部回路を構成するバスバー１６の一部によって構成されている。なお、以下の説明において、特に断りのない場合には、上方とは、アッパケース２０が位置する図１中の上方、下方とは、ロアケース２２が位置する図１中の下方を言い、前方とは、図２中の左方、後方とは、図２中の右方を言うものとする。
【００２５】
ケース１８は、図１に示されているように、全体として長手矩形ブロック形状を呈している。ケース１８の上面２４には、図１及び図２に示されているように、複数のヒューズ装着部２６が、上方に向かって開口形成されている。ヒューズ装着部２６の底面にはそれぞれ、図示しないヒューズ端子挿通孔が貫設されており、後述するバスバー１６のバスバー端子４２からなる図示しないヒューズ接続端子が挿通されて配設されるようになっている。
【００２６】
そして、ケース１８の上面２４側から、各ヒューズ装着部２６に対して、ヒューズ３２が装着される。これにより、ヒューズ３２から突出する図示しないタブ端子がヒューズ接続端子に接続されて内部回路を構成するバスバー１６に導通されるようになっている。
【００２７】
バスバー１６は、ケース１８の内部に収容配置されている。バスバー１６は、従来公知のものであり、導電性金属板がプレス打ち抜きおよび屈曲加工されて形成されている。より具体的には、バスバー１６の端部が屈曲されてバスバー端子４２が形成されている。
【００２８】
このような構成とされた電気接続箱１０にはまた、図１，図２及び図３（ａ）に示されているように、ケース１８の上面２４の手前側の中央部分において平面視で略矩形状の凹所４４が形成されている。そして、かかる凹所４４に対して、導通部品ホルダ４６が収容配置されている。なお、理解を容易とするため、図１，図２及び図３に示す導通部品ホルダ４６には、ショートピン１４の記載を省略している。
【００２９】
導通部品ホルダ４６には、長手方向に延びる平面視で略矩形状の一対のショートピン装着部４８，４８が幅方向（図２中、左右方向）に離隔して併設されていると共に、上下方向に開口して形成されている。そして、図５に示されているように、ショートピン装着部４８において、上端部側の長手方向の長さ寸法が、配設されるショートピン１４の上端部の幅寸法と略同じとされている一方、上端部側の左右方向に対向する内面には、一対の位置決めリブ５０，５０が内方に向かって突設されている。また、上端部側の長手方向の長さ寸法よりも下端部側の長手方向の長さ寸法がやや長くされていることによって、ショートピン装着部４８の上下方向の中央部分に一対の段差部５２，５２が形成されている。
【００３０】
一方、凹所４４の底面５４には、導通部品ホルダ４６の収容状態において、一対の段差部５２，５２に対向する部分に、一対の導通部品ホルダ保持リブ５６，５６が突設されている。一対の導通部品ホルダ保持リブ５６，５６には、その突出端面の内縁部から上方に向かって突出する一対のショートピン保持突起５８，５８が設けられている。さらに、一対の導通部品ホルダ保持リブ５６，５６の間には、後述するショートピン１４の下端部の凹み部８２に対向する部分に、正面視で略コ字状断面で上方に向かって突出するショートピン保持リブ６０が設けられている。加えて、各導通部品ホルダ保持リブ５６とショートピン保持リブ６０の間にはそれぞれ、凹所４４の底面５４を上下方向に貫通するショートピン接続端子挿通孔６２が設けられている。
【００３１】
また、導通部品ホルダ４６の幅方向（図２中、左右方向）の一対の両側面の外面６４，６４には、後述する把持部７４の一対の軸部７８，７８がスライド係合されるスライドレール部６６が突設されている。図３及び図４に示されているように、スライドレール部６６は、上方に向かって開口する正面視で略Ｕ字形状とされている。より詳細には、スライドレール部６６は、導通部品ホルダ４６の両側面の外面６４側から外方（図２中、左右方向）に向って略逆Ｌ字断面形状で突設されており、一対のスライドレール６８，６８と、一対のスライドレール６８，６８の下端部を連結することによって形成された係止部７０から構成されている。さらに、導通部品ホルダ４６の両側面の外面６４には、スライドレール部６６の上方において、外方（図２中、左右方向）に向って略三角断面形状で突出する係止突起７２が設けられている。
【００３２】
さらに、導通部品ホルダ４６は、把持部７４を備えている。図３に示されているように、把持部７４は、取っ手部７６と、一対の軸部７８，７８を含んで構成されている。より詳細には、取っ手部７６は、把持部７４の長さ方向の全長に亘って略逆台形断面形状で延び出して設けられている。また、一対の軸部７８，７８は、取っ手部７６の両端部から導通部品ホルダ４６の両側面の外面６４に沿って延出して形成されていると共に、一対の軸部７８，７８の延出端部が連結された連結部７９を有し全体として正面視で略Ｕ字形状を呈している。これにより、図１，図３（ａ）及び図４（ａ）に示されているような収容状態においては、把持部７４は、取っ手部７６が導通部品ホルダ４６の上面８０に載置されている一方、一対の軸部７８，７８が導通部品ホルダ４６のスライドレール部６６内に挿通収容された状態で保持されている。一方、図３（ｂ）（ｃ）及び図４（ｂ）（ｃ）に示されているような使用状態においては、把持部７４は、取っ手部７６を上方に引き上げることにより、一対の軸部７８，７８がスライドレール部６６から引き出されて、一対の軸部７８，７８の連結部７９がスライドレール部６６の端部に形成された係止突起７２に係合されるようになっている。そして、取っ手部７６を下方に引き下げることにより、把持部７４を容易に使用状態から収容状態に戻すことができるようになっている。本実施形態では、このように、導通部品ホルダ４６に対して、把持部７４が後述するショートピン１４の挿抜方向である上下方向にスライド変位可能に組み付けられている。すなわち、把持部７４は、収容状態と、収容状態よりも導通部品ホルダ４６からの突出高さが大きい使用状態とに変位自在に構成されているのである。
【００３３】
そして、このような構成とされた導通部品ホルダ４６が、図１，図２及び図３（ａ）に示されているように、ケース１８の上面２４の凹所４４に収容保持されている。かかる収容保持状態において、暗電流回路１２は導通接続状態とされている。
【００３４】
ショートピン１４は、図５（ａ）に示されているように、正面視で略矩形状の金属製の平板によって形成されている。より詳細には、ショートピン１４には、上端部の両側面が外方（図５中、左右方向）に向って突出されて一対の張出部８１，８１が形成されている一方、下端部の中央部分には正面視で略矩形状の凹み部８２が設けられている。また、かかる凹み部８２を挟んだショートピン１４の両側部分によって一対の接続部８４，８４が形成されている。なお、ショートピン１４は、図示しない合成樹脂製のケースに収容されており、ケースから一対の接続部８４，８４が露出するように構成されている。
【００３５】
図５（ａ）に示されているように、導通部品ホルダ４６が凹所４４に収容保持された状態において、導通部品ホルダ４６の一対の段差部５２，５２が、一対の導通部品ホルダ保持リブ５６，５６によって保持されるようになっている。一方、ショートピン１４は、その一対の張出部８１，８１の上側が一対の位置決めリブ５０，５０によって位置決めされて配設されている一方、その一対の張出部８１，８１の下側が一対のショートピン保持突起５８，５８によって保持されるようになっている。また、ショートピン１４の凹み部８２に対向する部分には、ショートピン保持リブ６０が配置されている。
【００３６】
かかる状態において、図５（ａ）に示されているように、ショートピン１４の一対の接続部８４，８４には、一対のショートピン接続端子挿通孔６２，６２を挿通して凹所４４内に突出する略音叉形状の一対のショートピン接続端子８６，８６が接続されている。ここで、一対のショートピン接続端子８６，８６は、バスバー１６のバスバー端子４２の一部として形成されており、一対のショートピン接続端子８６，８６によって、暗電流回路１２の接続端子が構成されている。すなわち、かかる状態が、導通部品たるショートピン１４が暗電流回路１２に接続される接続位置とされているのである。
【００３７】
次に、かかる接続位置から、導通部品たるショートピン１４が暗電流回路１２から切断される切断位置に切り替える手順について説明する。先ず、図５（ａ）に示されている収容状態の把持部７４の取っ手部７６を手指で摘んで、図５（ｂ）に示されているように、把持部７４の取っ手部７６を引き上げることにより、把持部７４を使用状態とする。ここで、図５（ａ）に示されている収容状態の把持部７４においては、手指で摘むための領域Ａが狭いものの、取っ手部７６を引き上げるだけであるので、狭い領域Ａでも十分摘んで引き上げることができるのである。一方、図５（ｂ）に示されている使用状態の把持部７４においては、手指で摘むための領域Ｂが広くとれるので、図５（ｃ）に示されているように、導通部品ホルダ４６を十分引き上げることができるのである。
【００３８】
かかる状態において、図５（ｃ）に示されているように、ショートピン１４の一対の接続部８４，８４が、一対のショートピン接続端子８６，８６から引き抜かれている。すなわち、かかる状態が、導通部品たるショートピン１４が暗電流回路１２から切断される切断位置とされているのである。なお、かかる状態において、導通部品ホルダ４６はケース１８の凹所４４に対して図示しない係合機構によって仮保持されるようになっている。
【００３９】
最後に、図５（ｃ）に示されている使用状態の把持部７４の取っ手部７６を手指で摘んで、図５（ｄ）に示されているように、把持部７４の取っ手部７６を引き下げることにより、把持部７４を収容状態とする。なお、暗電流回路１２をかかる切断位置から接続位置に戻したい場合には、導通部品ホルダ４６を単に上方から下方に向かって押し込めばよい。
【００４０】
以上のことから明らかなように、暗電流回路１２の接続端子であるショートピン接続端子８６に対するショートピン１４の挿抜方向である上下方向に対して、導通部品ホルダ４６が変位自在に組み付けられるようになっている。これにより、ショートピン１４が暗電流回路１２に接続される接続位置と、ショートピン１４が暗電流回路１２から切断される切断位置に切り替え可能に保持できるようにされているのである。なお、本実施形態においては、暗電流回路１２の断続構造は、ケース１８に設けられた凹所４４と導通部品ホルダ４６を含んで構成されている。
【００４１】
このような本実施形態に従う暗電流回路１２の断続構造によれば、導通部品ホルダ４６が把持部７４を備えており、かかる把持部７４が、収容状態と、収容状態よりも導通部品ホルダ４６からの突出高さが大きい使用状態とに変位自在に構成されている。それ故、導通部品ホルダ４６を暗電流回路１２の接続位置から切断位置に切り替えたい場合に、把持部７４を突出高さが大きい使用状態に変位させることができるので、手指で摘むための領域Ｂを広くとることができ、上記切り替え作業を容易に行うことができる。
【００４２】
しかも、切り替え作業後に把持部７４を使用しない場合には、把持部７４を使用状態に比して突出高さが小さい収容状態に戻すことができる。それ故、仮に、導通部品ホルダ４６が切断位置に保持された場合であっても、収容状態に変位された把持部７４の突出高さ：ｈ１（図４（ｄ）及び図５（ｄ）参照）は抑えられており、従来構造に相当する使用状態における把持部７４の突出高さ：ｈ２（図４（ｃ）及び図５（ｃ）参照）に比して十分に低く構成されている。その結果、低背化された暗電流回路１２の断続構造を提供することが可能となることから、配設スペースが限られている場合であっても、暗電流回路１２の断続構造を採用することが可能となるのである。
【００４３】
さらに、導通部品ホルダ４６に対して、把持部７４が上下方向に対してスライド変位可能に組み付けられている。この上下方向は、ケース１８に対する導通部品ホルダ４６の変位方向、すなわち、ショートピン１４のショートピン接続端子８６に対する挿抜方向と同じであることから、把持部７４及び導通部品ホルダ４６を変位させる作業をスムーズに行うことができる。また、把持部７４を変位させる際に、導通部品ホルダ４６内のショートピン接続端子８６とショートピン１４の間にねじり方向の力が加えられることが回避されることから、導通安定性も有利に確保できる。
【００４４】
加えて、把持部７４の高さ位置を上下方向で変位自在にするスライド機構が、導通部品ホルダ４６の側面の外面６４を利用して設けられていることから、導通部品たるショートピン１４の形状等により設計自由度が制限される導通部品ホルダ４６の内部側に影響を与えることがない。さらに、取っ手部７６が把持部７４の長さ方向の全長に亘って設けられていることから、取っ手部７６を手指で確実に把持することができ、把持部７４の収容状態と使用状態の切り替えを容易に行うことができる。
【００４５】
また、ケース１８に対して本実施形態の暗電流回路１２の断続構造が組み付けられることにより電気接続箱１０が構成されるようになっていることから、暗電流回路１２の断続構造による上述の効果と同様の効果を発揮する電気接続箱１０を有利に提供することができる。
【００４６】
以上、本発明の実施形態について詳述したが、本発明はその具体的な記載によって限定されない。例えば、本実施形態では、把持部７４が挿抜方向である上下方向で導通部品ホルダ４６に対して変位可能とするためにスライド構造が採用されていたが、蛇腹構造やテレスコ構造、中心軸廻りの回転構造等任意の構造が採用可能である。具体的には、図６に示すような、蛇腹状とされた蛇腹部８８が、取っ手部７６の両端部から導通部品ホルダ９０の両側面の外面６４に沿って延出すると共に、蛇腹部８８の延出端部が導通部品ホルダ９０の両側面の外面６４に固着されて形成された構造が考えられる。また、図７に示すような、テレスコピック状とされた伸縮部９２が、取っ手部７６の両端部から導通部品ホルダ９４の両側面の外面６４に沿って延出すると共に、伸縮部９２の延出端部が導通部品ホルダ９４の両側面の外面６４に固着されて形成された構造が考えられる。さらにまた、図８に示すような、略円形断面形状の係止突起９６廻りに回転可能とされた一対の軸部９８，９８が、取っ手部７６の両端部から導通部品ホルダ１００の両側面の外面６４に沿って延出された構造が考えられる。なお、この構造では、図８（ａ）に示す把持部７４の収容状態から把持部７４を時計回りに９０度回転した状態で使用状態とすることができる。
【００４７】
また、本実施形態では、暗電流回路１２を導通接続する導通部品として、溶断部を有しないショートピン１４を例示して説明を行ったが、溶断部を有するヒューズ等によって構成されていてもよい。
【符号の説明】
【００４８】
１０：電気接続箱、１２：暗電流回路、１４：ショートピン（導通部品）、１８：ケース、４６，９０，９４，１００：導通部品ホルダ、６４：外面、６６：スライドレール部、７４：把持部、７６：取っ手部、７８，９８：軸部、８０：上面、８６：ショートピン接続端子（接続端子）
【図１】
2016073160.tif 000003
【図２】
2016073160.tif 000004
【図３】
2016073160.tif 000005
【図４】
2016073160.tif 000006
【図５】
2016073160.tif 000007
【図６】
2016073160.tif 000008
【図７】
2016073160.tif 000009
【図８】
2016073160.tif 000010